【事件の表示】
　平成１０年特許願第１１４２７９号「ファイルシステム」拒絶査定不服審判事件〔平成１１年１０月２９日出願公開、特開平１１−２９６４１８〕について、次のとおり審決する。
【結　論】
　本件審判の請求は、成り立たない。
【理　由】
１．手続きの経緯 
　本願は、平成１０年４月１０日に特許出願されたものであって、平成１４年９月１１日付けで拒絶理由が通知され、同年１１月１８日付けで手続補正書が提出され、平成１５年１０月６日付けで拒絶査定され、同年１１月１３日付けで審判請求がなされ、同年１２月１５日付けで手続補正がなされたものである。これに対し、当審において平成１５年１２月１５日付け手続補正は、平成１７年１１月２５日付けで却下され、同日付けで拒絶理由が通知され、平成１８年１月２５日付けで意見書が提出されたものである。
  
２．本願発明
　平成１５年１２月１５日付けの手続補正は、上記のとおり却下されているので、本願の請求項１−４に係る発明は、平成１４年１１月１８日付け手続補正書の特許請求の範囲１−４に記載された事項により特定されたとおりの次のものであると認める。
　
 「　【請求項１】　ファイル記憶部に記憶された所定のファイルの格納領域を示すファイルエリア情報を上記ファイル記憶部から取得して送出するファイル管理部と、
　上記ファイル管理部から送出された上記ファイルエリア情報を受け取って送出するファイル制御部と、
　上記ファイル制御部からの上記ファイルエリア情報を受け取り、受け取った上記ファイルエリア情報に基づいて、外部入出力装置から入力したファイルデータを上記ファイル記憶部の所定のファイルの格納領域に直接書き込み、上記ファイル記憶部の所定のファイルの格納領域に記憶されたファイルデータを直接読み出して上記外部入出力装置に出力するＩ／Ｏ入出力制御部とを備え、
　上記ファイルエリア情報は、上記ファイルデータの格納先先頭アドレスや上記ファイルデータのクラスタの位置を羅列したクラスタリストを含み、
　上記Ｉ／Ｏ入出力制御部は、上記ファイルエリア情報に基づいて、上記ファイルデータの格納先先頭アドレスに１クラスタ分のファイルデータを直接書き込み、全てのファイルデータの書き込みが終了したか否かを判断し、書き込みが終了していない場合には上記ファイルエリア情報から次クラスタの先頭アドレスを検出し、その先頭アドレスに１クラスタ分のファイルデータを書き込み、
　上記ファイルエリア情報に基づいて、上記ファイルデータの格納先先頭アドレスから１クラスタ分のファイルデータを直接読み出し、全てのファイルデータの読み出しが終了したか否かを判断し、読み出しが終了していない場合には上記ファイルエリア情報から次クラスタの先頭アドレスを検出し、その先頭アドレスから１クラスタ分のファイルデータを読み出す
　ことを特徴とするファイルシステム。
　　【請求項２】　複数のＩ／Ｏ入出力制御部を設け、これら複数のＩ／Ｏ入出力制御部がファイル記憶部に直接ファイルデータを書き込み及び読み出し可能に構成したことを特徴とする請求項１記載のファイルシステム。
　　【請求項３】　外部入出力装置からのファイルデータの書き込み要求あるいは上記外部入出力装置への読み出し要求を監視するＩ／Ｏ入出力監視部を設けたことを特徴とする請求項１記載のファイルシステム。
　　【請求項４】　複数のＩ／Ｏ入出力制御部を設けるとともに、これら複数のＩ／Ｏ入出力制御部に対応して複数のＩ／Ｏ入出力監視部を設けたことを特徴とする請求項３記載のファイルシステム。 」 
 　 
３．引用例 
　これに対し、当審より通知された拒絶の理由に引用された特開平６−２３６３１３号公報（以下、引用例という。）には、以下の事項が図面と共に記載されている。 
 　 
（ア）「【０００１】 
 　　【産業上の利用分野】 
　本発明は音声信号記録再生装置に係り、特に、ハードディスクに音声データを記録する音声信号記録再生装置に関する。 
 （中略） 
 【０００４】 
　この音声信号記録再生装置では、一般的なＤＯＳ（Ｄｉｓｋ　Ｏｐｅｒａｔｉｎｇ　Ｓｙｓｔｅｍ）の機能を有する制御プログラムにより、ディジタル音声データをファイルとして管理している。 
 【０００５】 
 　一連の音声信号に対応するディジタル音声データは、ＤＡＤ（ディジタル・オーディオ・データ）ファイルとして、ハードディスクの所定領域に記録される。ハードディスクには、複数のＤＡＤファイルを記録することができる。また、ＤＡＤファイルの読み書きに用いるディレクトリ情報、ＦＡＴ（Ｆｉｌｅ　Ａｌｌｏｃａｔｉｏｎ　Ｔａｂｌｅ）をハードディスクの所定領域に記録している。　　 
 【０００６】 
 　１つのＤＡＤファイルは、ハードディスク上のいくつかのクラスタの集まりで構成される。ディレクトリ情報には、それぞれのＤＡＤファイルのファイル名、ＤＡＤファイル名に対応するＤＡＤファイルの先頭クラスタ番号等を記録している。また、ＦＡＴには、ＤＡＤファイルを構成するハードディスク内のクラスタの記録順を示すチェインデータを記録してある。
【０００７】
　音声信号記録再生装置において、録音を行うと、録音した音声信号に対応したＤＡＤファイル、ディレクトリ情報、ＦＡＴのクラスタチェインデータがハードディスクの所定領域に作成される。また、録音した音声信号を再生するための再生手順ファイルが作成される。この再生手順ファイルには、対応するＤＡＤファイル名、ＤＡＤファイルの先頭から再生開始位置までのオフセット、再生データ長等が記録される。
【０００８】
　録音した音声信号の再生は、ＤＯＳ機能を有する制御プログラムに従い、制御部の制御の下で、以下の手順で行われる。先ず、読み出した再生手順ファイルから、ＤＡＤファイル名、オフセット、再生データ長を得る。次に、ディレクトリ情報を参照して、上記ファイル名の付いたＤＡＤファイルの先頭クラスタ番号を得る。
【０００９】
　この先頭クラスタ番号から、ＦＡＴのクラスタチェインデータをたどり、ＤＡＤファイルを構成するクラスタの集まりから次々とディジタル音声データを読み出す。」
 　 
（イ）「【００１７】 
 　　【実施例】 
 　図２は本発明の第１実施例の構成図を示す。図２に示す音声信号記録再生装置は、音声信号処理手段１１、制御手段１２であるＣＰＵ２２、記録手段１３であるハードディスク２３を備える。また、装置の動作状態等の表示を行うディスプレイ２７、録音、再生等の動作指令を操作者が入力するためのキーボード２６を備える。 
 【００１８】 
 　音声信号処理手段１１は、入出力部２４とＤＳＰ２５とからなる。また、ＣＰＵ２２は、ＲＯＭ（リード・オンリー・メモリ）、ＲＡＭ（ランダム・アクセス・メモリ）を備え、音声信号記録再生装置内蔵のシステムプログラムに従って種々の制御を行う。入出力部２４は、アナログ入力端子２８、アナログ出力端子２９、ディジタル入力端子３０、ディジタル出力端子３１を備える。 
 【００１９】 
　次に、録音動作、再生動作の概略について説明する。録音のときに、アナログ入出力端子２８，２９が選択されているときは、アナログ入力端子２８に供給されたアナログ音声信号は、入出力部２４内のＡ／Ｄコンバータによりディジタル信号に変換されてＤＳＰ２５に供給される。また、ディジタル入出力端子３０，３１が選択されているときは、ディジタル入力端子３０に供給されたディジタル音声信号がそのままＤＳＰ２５に供給される。 
 【００２０】 
　ＤＳＰ２５は、ＣＰＵ２２からの指令に従って、入出力部２４から供給されたディジタル音声信号に対してレベル調整、フェード処理等の信号処理を施す。ＤＳＰ２５はバッファメモリを有し、信号処理を施したディジタル音声データをバッファメモリに書き込む。 
 【００２１】 
　ＤＳＰ２５は、バッファメモリが一杯になると、ＣＰＵ２２にそのことを伝える。ＣＰＵ２２は、ＤＳＰ２５からバッファ満杯の信号を受けると、ＤＳＰ２５とハードディスク２３にＤＭＡ（Ｄｉｒｅｃｔ　Ｍｅｍｏｒｙ　Ａｃｃｅｓｓ）転送の指令を与えて、ＤＳＰ２５からハードディスク２３にディジタル音声データのＤＭＡ転送を行わせる。ＤＳＰ２５は、バッファが空になると、再び入力信号の処理、及びバッファへの書き込みを行う。このＤＭＡ転送により、ディジタル音声データがハードディスク２３の所定領域に記録される。　」 
 　 
（ウ）「【００２４】
　次に、第１実施例のファイル構造について説明する。図３は、第１実施例のファイル構造の説明図を示す。また、図４は第１実施例のファイルアクセスの説明図を示す。第１実施例の音声信号記録再生装置では、ハードディスク２３に記憶してあるシステムプログラム３８をＣＰＵ２２のＲＡＭに読み込み、このシステムプログラム３８に従って、ＣＰＵ２２が装置全体の主要な制御を行う。このシステムプログラム３８は、一般的なＤＯＳと同等の機能を有し、ディジタル音声データをファイルとして管理する。
【００２５】 
　一連の入力音声信号に対応するディジタル音声データは、ＤＡＤファイルとして、ハードディスク２３のＤＡＤファイル領域３７に記録される。ハードディスクには、複数のＤＡＤファイルを記録することができ、ＤＡＤファイル群として記録される。また、ＤＡＤファイルの読み書きに用いるディレクトリ情報、ファイル管理テーブルであるＦＡＴが、それぞれ、ハードディスクのディレクトリ情報領域３５、ＦＡＴ領域３４に記録される。 
 【００２６】 
　１つのＤＡＤファイルは、ハードディスク２３のいくつかのクラスタの集まりで構成される。ディレクトリ情報には、それぞれのＤＡＤファイルのファイル名、ＤＡＤファイル名に対応するＤＡＤファイルの先頭クラスタ番号、ファイルサイズが記録される。また、ＦＡＴには、ＤＡＤファイルを構成するハードディスク２３のクラスタの記録順を示す、クラスタチェインデータが記録される。 
 【００２７】 
　音声信号記録再生装置において、録音を行うと、録音した音声信号に対応したＤＡＤファイル、ＦＡＴのクラスタチェインデータ、ディレクトリ情報が作成される。また、録音した音声信号を再生するための再生手順ファイル３９が再生手順ファイル領域３６に作成される。再生手順ファイル３９はそれぞれのＤＡＤファイルに対応して作成され、再生手順ファイル群として記録される。」 
 　 
（エ）「【００４４】 
　次に、録音動作の詳細について、録音により図４のＤｉｇｉｔａｌ１．ＤＡＴのＤＡＤファイルを記録する場合の例で説明する。図５は第１実施例の録音動作手順を示すフローチャートを示す。キーボード２６から録音準備指令が入力されると、先ず、ステップ１０１では、ハードディスク２３内のＦＡＴ３４を、ＣＰＵ２２のＲＡＭ内のバッファに複写し、録音開始前のクラスタチェインデータとする。 
 【００４５】 
　次の、ステップ１０２では、ＤＡＤファイル名、再生手順ファイル名を作成する。このファイル名は、操作者が入力したファイル名とするか、又は、装置で予め決められたファイル名とする。 
 【００４６】 
　図４のＤｉｇｉｔａｌ１．ＤＡＴのＤＡＤファイルを記録する場合には、ＤＡＤファイル名Ｄｉｇｉｔａｌ１・ＤＡＴ、再生手順ファイル名Ｐｌａｙ１．ＴＸＴを作成している。 
 【００４７】 
　次のステップ１０３では、ＣＰＵ２２のバッファ内の、録音開始前のクラスタチェインデータを参照して、ハードディスク２３の空きクラスタの先頭番号を取得する。Ｄｉｇｉｔａｌ１．ＤＡＴのＤＡＤファイルを記録する場合は、このＤＡＤファイルを記録する前の空きクラスタの先頭番号０５０１ｈを取得する。 
 【００４８】 
　ステップ１０４では、キーボード２６から録音開始指令が入力されるのを待ち、録音開始指令が入力されるとステップ１０５へ進む。ステップ１０５〜ステップ１０８では、ＤＳＰ２５から供給されるディジタル音声データをＤＡＤファイルとして記録する。 
 【００４９】 
　ステップ１０５では、ＣＰＵ２２の指令により、ＤＳＰ２５からハードディスク２３に、１ブロックのディジタル音声データがＤＭＡ転送される。これにより、ハードディスク２３の以前に書き込んだ最終位置に続く書き込み位置から、１ブロック分データが書き込まれる。なお、この１ブロックの大きさは、ＤＳＰ２５のバッファの大きさにに対応する。 
 【００５０】 
　ステップ１０６では、ステップ１０５でのディジタル音声データのＤＭＡ転送により、最終書き込み位置がクラスタの境界を飛び越したかどうかを判断する。クラスタの境界を飛び越していない場合は、クラスタチェインデータを更新する必要がないので、ステップ１０８へ進む。クラスタの境界を飛び越した場合は、ステップ１０７へ進み、ＣＰＵ２２のバッファにクラスタのチェインデータを更新する。 
 【００５１】 
　図４で、クラスタ０５０１ｈから０５０２ｈにクラスタの境界を越えてデータを書き込んだ場合の例では、ＣＰＵ２２のバッファ内のクラスタチェインデータの０５０１ｈ番地に０５０２ｈを書き込む。 
 【００５２】 
　ステップ１０８では、キーボード２６から録音停止指令が入力されたかどうかを判断し、録音停止指令が入力されない場合は、ステップ１０５へ戻り、録音を続ける。録音停止指令が入力された場合は、クラスタチェインデータの最終書き込み番地に終端マークのＦＦＦＦｈを書き込み、ステップ１０９へ進む。以後、各種ファイルの作成等を行う。 
 （中略） 
 【００５６】 
　ステップ１１１では、ディレクトリ情報を更新し、記録したＤＡＤファイルのＤＡＤファイル名、先頭クラスタ番号、ファイルサイズ、及び、対応する再生手順ファイル名、先頭クラスタ番号、ファイルサイズを書き込む。　」
 　 
（オ）「【００６１】次に、再生動作の詳細について、録音により図４のＤｉｇｉｔａｌ１．ＤＡＴのＤＡＤファイルを記録した場合の例で説明する。図６は第１実施例の再生動作手順を示すフローチャートを示す。キーボード２６から再生準備指令が入力されると、先ず、ステップ２０１では、ハードディスク２３内のＦＡＴ３４を、ＣＰＵ２２のＲＡＭ内のバッファに複写し、再生時に参照するクラスタチェインデータとする。
（中略）
【００６６】次のステップ２０５〜ステップ２０９では、上記読み出し開始位置から再生データ長分のデータを読み出し、ＤＳＰ２５に供給して音声信号を再生する。ステップ２０５では、ＣＰＵ２２の指令により、ハードディスク２３の現在の読み出し位置から１ブロックのディジタル音声データが読み出されて、ＤＳＰ２５にＤＭＡ転送される。なお、この１ブロックの大きさは、ＤＳＰ２５のバッファの大きさに対応する。
【００６７】ＤＳＰ２５は読み出されたディジタル音声データに所定の信号処理を施し、入力出力部２４に供給する。入力出力部２４は、元の音声信号を再生して出力端子から出力する。
【００６８】上記１ブロックの読み出しでの、最終読み出し位置の次の位置を、次回の１ブロックの読み出し位置として保持しておく。
【００６９】ステップ２０６では、再生すべきデータが全て読み出されたかどうかを判断する。再生データ長で指定された全再生データが読み出された場合は、再生動作を終了する。全再生データの読み出しが終了していない場合は、ステップ２０７へ進む。
【００７０】図４の再生手順ファイルＰｌａｙ１．ＴＸＴの例では、５９０４バイトを読み出したとき、全再生データの読み出しが終了する。
【００７１】ステップ２０７では、ステップ２０５におけるディジタル音声データの最終読み出し位置が、現在のクラスタ内の最後の位置かどうかを判断する。最終読み出し位置が現在のクラスタ内の最後の位置ではない場合は、ステップ２０５へ戻り、次の１ブロックの読み出しを続ける。なお、ここでは、１ブロックのデータが２つのクラスタにまたがることは無いものとする。
【００７２】最終読み出し位置が現在のクラスタ内の最後の位置である場合は、ステップ２０８へ進む。ステップ２０８では、ＣＰＵ２２のバッファ内のクラスタチェインデータ（ＦＡＴと同じデータ）をたどって、次に読み出すべきクラスタの先頭位置を、次回の読み出し位置として取得する。
【００７３】図４の再生手順ファイルＰｌａｙ１．ＴＸＴの例では、最終読み出し位置がクラスタ０５０２ｈの最後の位置であったときは、クラスタチェインデータの０５０２ｈ番地の内容から次のクラスタ０５０３ｈを得る。」
　
　（イ）の記載によれば、ＣＰＵはＤＳＰとハードデイスクにＤＭＡ転送の指令を与えてＤＭＡ転送を行わせているから、ＤＳＰとハードデイスクはＤＭＡを行う転送手段を有している。
　
 　以上より、引用例には以下の発明が記載されている。 
 　 
　ハードデイスクに記憶されたデジタル音声データのＤＡＤファイルの格納領域を示すデイレクトリ情報とＦＡＴを上記ハードデイスクから取得するＣＰＵのＤＯＳ機能と、 
 　上記ＣＰＵのＤＯＳ機能は、取得したデイレクトリ情報、ＦＡＴのクラスタチェーンデータに基づいて、ＤＳＰとハードデイスクにデジタル音声データの書き込み読み出しのためのＤＭＡ転送を指令するものであり、 
 　ＤＳＰとハードデイスクの転送手段は、ＣＰＵのＤＯＳ機能からのＤＭＡ転送指令に基づいて、入力したデジタル音声データを前記ハードデイスクのＤＡＤファイルに書き込み、前記ハードデイスクのＤＡＤファイルに記憶されたデジタル音声データを読み出して出力するものであり、
　デジタル音声データをＤＡＤファイルに記録するときは、 
 (A)録音の準備として、録音開始前のクラスタチェーンデータを作成し、 
 (B)録音開始前のクラスタチェーンから空きクラスタの先頭番号を取得し、 
 (C)ＤＳＰはバッファメモリにデジタル音声データを書き込み、バッファメモリが一杯になるとＣＰＵに通知し、 
 (D)ＣＰＵはＤＳＰとハードデイスクにＤＭＡ転送を指令し、 
 (E)ＣＰＵの指令によりＤＳＰからハードデイスクにデジタル音声データがＤＭＡ転送されると、前記取得した空きクラスタに書き込んでいき、 
 (F)最終書き込み位置がクラスタの境界を飛び越したかどうかを判断し、クラスタの境界を飛び越した場合は、次のクラスタに書き込み、クラスタのチェーンを更新し、 
 デジタル音声データをＤＡＤファイルから読み出すときは、
（G）ＦＡＴのクラスタチェーンデータに基づいて、ハードデイスクから１ブロックのデジタル音声データを読み出し、全再生データ読み出されたか否かを判断し、全再生データの読み出しが終了していないときは次のクラスタから再生データを読み出す、
 手順で記録再生する音声信号記録再生装置。 
 　 
４．対比・判断 
　本願の請求項１に係る発明（以下、本願発明という）と引用例に記載された発明（以下、引用発明という）とを比較すると、 
　引用発明の「ハードデイスク」「ＤＡＤファイル」「デジタル音声データ」は、それぞれ、本願発明の「ファイル記憶部」「ファイル」「ファイルデータ」に相当する。 
　引用発明では、デイレクトリ情報とＦＡＴのデイスクからの読み出し及びそれらの情報に基づくデイスクへの読み出し書き込みをＣＰＵのＤＯＳ機能が担っており、引用発明のこの機能と本願発明の「ファイル管理部」「ファイル制御部」とは、ファイル管理機能としては同様のものである。
　引用発明のＤＳＰは、ハードデイスクに対してデジタル音声データを供給し、また、ハードデイスクから読み出したデジタル音声データの供給先であるから、ハードデイスクに対しては外部装置であり、本願発明の「外部入出力装置」に相当するものである。
　引用発明の「ハードデイスクの転送手段」はＤＳＰとの間のデータ転送を担い、ハードデイスク自身は媒体へのデータ書き込み読み出し機能を有しているから、引用発明の「ハードデイスクの転送手段とハードデイスク」と、本願発明の「Ｉ／Ｏ入出力制御部」とは、ファイル記憶部へのデータ書き込み読み出し部を有する点で共通している。
　引用発明の「デイレクトリ情報とＦＡＴ］は、ハードデイスク上の特定ファイルの格納位置を示すものであるから、本願発明の「ファイルエリア情報」と対応している。
　引用発明では、ハードデイスクへの書き込みは、録音開始前のクラスタチェーンに基づいて、全てのデジタル音声データを書き終わるまで順次次のクラスタに書き込んでいくから（（Ｅ）項および（Ｆ）項）、本願発明における「上記ファイルエリア情報に基づいて、上記ファイルデータの格納先先頭アドレスに１クラスタ分のファイルデータを直接書き込み、全てのファイルデータの書き込みが終了したか否かを判断し、書き込みが終了していない場合には上記ファイルエリア情報から次クラスタの先頭アドレスを検出し、その先頭アドレスに１クラスタ分のファイルデータを書き込み」と同等の処理手法により書き込みを行っている。また、読み出しの手法についても引用発明と本願発明は同等の手法を用いている。つまり、書き込み読み出し時の次クラスタ取得の判断手法は同等のものである。
　引用発明ではＤＳＰはバッファメモリを有するものであるが、これはＤＳＰがレベル調整やフェード処理を行うためにものであり、データ転送におけるオーバーラン等の防止のためのものではないから、データ転送についてはＤＳＰとハードデイスクの転送手段は「直接」書き込み、読み出しを行っているものとみるのが妥当である。
　
　してみると、両者は
　
　ファイル記憶部に記憶された所定のファイルの格納領域を示すファイルエリア情報を上記ファイル記憶部から取得するファイル管理機能と、
　上記ファイル管理機能からの上記ファイルエリア情報を受け取り、受け取った上記ファイルエリア情報に基づいて、外部入出力装置から入力したファイルデータを上記ファイル記憶部の所定のファイルの格納領域に直接書き込み、上記ファイル記憶部の所定のファイルの格納領域に記憶されたファイルデータを直接読み出して上記外部入出力装置に出力するファイル記憶部へのデータの書き込み読み出し部とを備え、
　上記ファイル記憶部へのデータの書き込み読み出し部は、、上記ファイルエリア情報に基づいて、上記ファイルデータの格納先先頭アドレスに１クラスタ分のファイルデータを直接書き込み、全てのファイルデータの書き込みが終了したか否かを判断し、書き込みが終了していない場合には上記ファイルエリア情報から次クラスタの先頭アドレスを検出し、その先頭アドレスに１クラスタ分のファイルデータを書き込み、
　上記ファイルエリア情報に基づいて、上記ファイルデータの格納先先頭アドレスから１クラスタ分のファイルデータを直接読み出し、全てのファイルデータの読み出しが終了したか否かを判断し、読み出しが終了していない場合には上記ファイルエリア情報から次クラスタの先頭アドレスを検出し、その先頭アドレスから１クラスタ分のファイルデータを読み出す
　ことを特徴とするファイルシステム
　
で一致し、次の点で相違している。
　
相違点１
　本願発明のファイルエリア情報が「ファイルデータの格納先先頭アドレスや上記ファイルデータのクラスタの位置を羅列したクラスタリストを含」むものであるのに対し、引用発明の「デイレクトリ情報とＦＡＴのクラスタチェーン」がそのようなものかどうか明確でない点
　
相違点２
　ファイル管理機能について、本願発明では「ファイル管理部」「ファイル制御部」を有し、ファイル管理機能を分担しているのに対し、引用発明では「ＣＰＵのＤＯＳ機能」がファイル管理機能を担っている点、およびファイル記憶部へのデータの書き込み読み出しを、本願発明では「Ｉ／Ｏ入出力制御部」が担っているのに対し、引用発明では「ＤＳＰとハードデイスクの転送手段」がデータ転送を担い、「ハードデイスク」が媒体への書き込み読み出しを担っており、また、書き込み読み出し時の次クラスタ取得の判断をどこで行っているかが明確でない点、
つまり、各機能分担、処理分担について、本願発明では「ファイル管理部」「ファイル制御部」「Ｉ／Ｏ入出力制御部」が分担しているのに対し、引用発明では「ＣＰＵのＤＯＳ機能」「ＤＳＰとハードデイスクの転送手段」「ハードデイスク」が分担している点、
　
で相違する。
　
５．相違点についての検討
相違点１について
　本願発明において、ファイルエリア情報に含まれる「クラスタリスト」については、発明の詳細な説明を見ても、請求項の記載と同様に「ファイルデータのクラスタの位置を羅列した」ものという記載しかなく、具体的な態様を十分に把握することができない。そこで、この「クラスタリスト」の使われ方を検討すると、ファイルデータの書き込みや読み出しにおいて、書き込むべき又は読み出すべきクラスタを検知するために用いられるものである。
　引用発明において、ＤＡＤファイルの読み出しを行う場合、ＤＡＤファイルのＦＡＴのクラスタチェーンに基づいて次クラスタを取得しているから、ファイルデータの読み出しに関して引用発明の「クラスタチェーン」と本願発明の「クラスタリスト」に相違があるとは認められない。また、書き込みに関して、引用例についての引用箇所（エ）には、 「 【００４７】 次のステップ１０３では、ＣＰＵ２２のバッファ内の、録音開始前のクラスタチェインデータを参照して、ハードディスク２３の空きクラスタの先頭番号を取得する。Ｄｉｇｉｔａｌ１．ＤＡＴのＤＡＤファイルを記録する場合は、このＤＡＤファイルを記録する前の空きクラスタの先頭番号０５０１ｈを取得する。」と記載されており、これによれば、録音開始前のクラスタチェーンデータから空きクラスタの先頭番号を取得しているので、録音開始前のクラスタチェーンは空きクラスタのチェーンと見ることができる。してみると、引用発明の「ＦＡＴのクラスタチェーン」は、ファイルデータを書き込むべき格納先先頭アドレスやファイルデータのクラスタの位置に関する情報を有していると解するのが妥当である。従って、読み出し書き込みのいずれに関しても、引用発明の「デイレクトリ情報とＦＡＴのクラスタチェーン」は、本願発明におけるファイルエリア情報と格別相違するものとは認められない。
　
相違点２について
　本願発明において「ファイル制御部」は、ファイルエリア情報を受け取って送出するだけのものに過ぎない。引用発明では、ＣＰＵのＤＯＳ機能が、ハードデイスク内のＦＡＴをＣＰＵのＲＡＭ内のバッファに複写し、このＦＡＴに対して更新処理や終了処理を行う他にＤＭＡデータ転送の指令をハードデイスクとＤＳＰに行っているから、引用発明のＣＰＵのＤＯＳ機能は、本願発明の「ファイル管理部」「ファイル制御部」の機能を有している。そして、引用発明におけるＣＰＵのＤＯＳ機能を「ファイル管理部」と「ファイル制御部」に機能分担した程度のものである。
　また、引用発明では、データ転送手段をハードデイスク側にもたせて、ＣＰＵのＤＯＳ機能からのＤＭＡ転送指令に基づいて実際のデータ転送の制御を行っている。ＤＭＡ転送指令のコマンドには、メモリ書き込みアドレスやデータ長を含むことは周知であり、実際のデータ転送時には転送中のデータ長をカウントしているのであるから、引用発明において、クラスタ境界を越えたかどうかの判断はデータ転送手段側で行うのが自然であり、次クラスタ取得の判断をデータ転送手段側で行うようにすることはごく普通の形態に過ぎない。
　このように、引用発明の「ＣＰＵのＤＯＳ機能」「ハードデイスクのデータ転送手段」「ハードデイスク」の有する機能を、本願発明のように「ファイル管理部」「ファイル制御部」「Ｉ／Ｏ入出力制御部」に機能分担したことを格別のことということはできない。
 
６．むすび
　したがって、本願発明は、引用発明に基づいて当業者が容易に発明をすることができたものであるから、特許法第２９条第２項の規定により特許を受けることができない。
　よって、結論のとおり審決する。